(57)【要約】【課題】開口部（駄目孔）を使って工事用資材等を他の階に搬送する際に、該資材等の損傷を回避できるようにする。【解決手段】少なくとも一対のＬ型鉄筋１，１を図３(ａ) 又は(ｂ) に示すように配置し、その間に、額縁状（四角管状）の型枠２を配置する。そして、型枠２の外側にコンクリートを打設してコンクリートスラブを形成する。この型枠２の開口部２ａは、工事用資材等を他の階に搬送するための駄目孔として使用することができるが、Ｌ型鉄筋１，１の端部は型枠２にて被覆されていて露出されていないため、搬送される資材等を傷つけることも無い。【選択図】図３
2012251322.tif 000002
【特許請求の範囲】
【請求項１】
コンクリートスラブを構築する、コンクリートスラブの構築方法において、
略直角に屈曲されてなるＬ型鉄筋の一方の部分を「縦棒部」とし、他方の部分を「横棒部」とした場合に、
少なくとも一対のＬ型鉄筋を、互いの横棒部が所定距離を隔てて略平行となり、かつ、互いの縦棒部が互いに離間する側であって同一直線上に位置するように配置するＬ型鉄筋配置工程と、
所定距離を隔てて略平行となるように配置されたそれぞれの横棒部に接するように、これらの横棒部の間に、開口部を有する額縁状の型枠を配置する型枠配置工程と、
該型枠が配置された部分の外側にて、前記縦棒部を埋設するようにコンクリートを打設してコンクリートスラブを形成する第１コンクリート打設工程と、
を備えたことを特徴とする、コンクリートスラブの構築方法。
【請求項２】
打設したコンクリートが硬化した後に前記型枠を除去する型枠除去工程と、
各Ｌ型鉄筋の横棒部を斜倒して該各Ｌ型鉄筋を略直棒状に成形する鉄筋成形工程と、
斜倒されることにより近接する位置に移動されてなる前記一対のＬ型鉄筋の横棒部どうしを溶接により接合する鉄筋接合工程と、
該横棒部を埋設するようにコンクリートを打設する第２コンクリート打設工程と、
を備えたことを特徴とする請求項１に記載の、コンクリートスラブの構築方法。
【請求項３】
打設したコンクリートが硬化した後に前記型枠を除去する型枠除去工程と、
前記一対のＬ型鉄筋の横棒部どうしが互いに沿うように各Ｌ型鉄筋の横棒部を斜倒して該各Ｌ型鉄筋を略直棒状に成形する鉄筋成形工程と、
該横棒部を埋設するようにコンクリートを打設する第２コンクリート打設工程と、
を備えたことを特徴とする請求項１に記載の、コンクリートスラブの構築方法。
【請求項４】
略筒状の部材（以下、「被覆部材」とする）により前記横棒部を被覆する工程を前記型枠配置工程の前に実施し、
該被覆部材を前記横棒部から除去する工程を前記型枠除去工程と前記鉄筋接合工程との間にて実施する、
ことを特徴とする請求項１乃至３のいずれか１項に記載の、コンクリートスラブの構築方法。
【発明の詳細な説明】
【技術分野】
【０００１】
本発明は、コンクリートスラブを構築するコンクリートスラブの構築方法に係り、詳しくは、開口部（いわゆる駄目孔）を有するコンクリートスラブを構築する方法に関する。
【背景技術】
【０００２】
従来、複数階層の建築物（例えば、集合住宅やオフィスビル）を建築する際においてコンクリートスラブに開口部（いわゆる駄目孔）を一時的に形成しておいて、その開口部を使って他の階に工事用資材等（例えば、型枠材や支保工や単管パイプなど）を搬送することが一般的に行われており、そのようなスラブを構築する方法としては種々の方法が提案されている。
【０００３】
一つの方法（「従来例１」とする）としては図７に例示する方法がある。すなわち、スラブ型枠（不図示）の中にスラブ筋１０１，…を配置し、開口部を形成したい部分には開口部形成用の型枠１０２を配置し、該型枠（つまり、開口部形成用の型枠）１０２の外側の部分にコンクリートを打設する。そして、コンクリートが硬化した後で型枠１０２を取り外し、コンクリートにて被覆されずに露出しているスラブ筋は切断して折り曲げ、資材等を搬送するための開口部を形成していた。さらに、建築物の工事が進んで開口部が必要でなくなった場合には、折り曲げておいたスラブ筋を元に曲げ戻して溶接接合し、新たにコンクリートを打設して開口部を閉塞していた（例えば、特許文献１及び２参照）。
【０００４】
また、別の方法（「従来例２」とする）としては、開口部を形成する部分のスラブ筋を完全に切断除去してから開口部形成用の型枠を配置し、該型枠（つまり、開口部形成用の型枠）の外側の部分にコンクリートを打設する方法があった。そして、建築物の工事が進んで開口部が必要でなくなった場合には、開口部の側壁面に多数の鉄筋アンカーを打ち込み（例えば、特許文献３参照）、他の鉄筋を添えて鉄筋アンカーどうしを溶接により接合し、新たにコンクリートを打設して開口部を閉塞していた。
【先行技術文献】
【特許文献】
【０００５】
【特許文献１】特開平１１−８１６６６号公報
【特許文献２】特開平０５−２１４８１０号公報
【特許文献３】特開２００２−０７０３１７号公報
【発明の概要】
【発明が解決しようとする課題】
【０００６】
しかしながら、上記従来例１の場合は、折り曲げられた鉄筋が開口部に突出していることから、搬送する資材等を傷つけてしまうおそれがあった。また、安全のため、上述のような開口部は１日の作業が終了する度に蓋部材等で閉塞しておく必要があるが、該鉄筋端部が上方を向くように折り曲げられている場合は、該鉄筋端部に蓋部材が干渉してしまって該開口部を閉塞することが困難であるという問題もあった。なお、このような問題を解決するために該鉄筋端部を上方以外の方向に折り曲げることも考えられるが、作業姿勢等の点から、該鉄筋端部を上方以外の方向に折り曲げることは困難であった。
【０００７】
また、上記従来例２の場合は、開口部を閉塞する際にはアンカー鉄筋を打ち込まなければならず、作業が煩雑になるという問題があった。
【０００８】
本発明は、上述の問題を解消することのできるコンクリートスラブの構築方法を提供することを目的とするものである。
【課題を解決するための手段】
【０００９】
請求項１に係る発明は、コンクリートスラブ（図５の符号４参照））を構築する、コンクリートスラブの構築方法において、
略直角に屈曲されてなるＬ型鉄筋（図３(ａ) の符号１参照）の一方の部分（１ａ）を「縦棒部」とし、他方の部分（１ｂ）を「横棒部」とした場合に、
少なくとも一対のＬ型鉄筋（１）を、互いの横棒部（１ｂ）が所定距離（Ｗ）を隔てて略平行となり、かつ、互いの縦棒部（１ａ）が互いに離間する側であって同一直線上に位置するように配置するＬ型鉄筋配置工程（図１(ａ) 、図３(ａ) 及び図４参照）と、
所定距離（Ｗ）を隔てて略平行となるように配置されたそれぞれの横棒部（１ｂ）に接するように、これらの横棒部（１ｂ）の間に、開口部（２ａ）を有する額縁状の型枠（２）を配置する型枠配置工程（図１(ｂ) 及び図５参照）と、
該型枠（２）が配置された部分の外側にて、前記縦棒部（１ａ）を埋設するようにコンクリート（図２(ａ) 及び図５の符号３参照）を打設してコンクリートスラブ（４）を形成する第１コンクリート打設工程と、を備えたことを特徴とする。
【００１０】
請求項２に係る発明は、図２(ｂ) に例示するものであって、請求項１に係る発明において、打設したコンクリート（３）が硬化した後に前記型枠（２）を除去する型枠除去工程と、
各Ｌ型鉄筋（１）の横棒部（１ｂ）を斜倒して該各Ｌ型鉄筋（１）を略直棒状に成形する鉄筋成形工程と、
斜倒されることにより近接する位置に移動されてなる前記一対のＬ型鉄筋（１，１）の横棒部（１ｂ，１ｂ）どうしを溶接により接合する鉄筋接合工程と、
該横棒部（１ｂ，１ｂ）を埋設するようにコンクリートを打設する第２コンクリート打設工程と、を備えたことを特徴とする。
【００１１】
請求項３に係る発明は、請求項１に係る発明において、打設したコンクリート（３）が硬化した後に前記型枠（２）を除去する型枠除去工程と、
前記一対のＬ型鉄筋（１，１）の横棒部（１ｂ，１ｂ）どうしが互いに沿うように各Ｌ型鉄筋（１，１）の横棒部（１ｂ，１ｂ）を斜倒して該各Ｌ型鉄筋（１，１）を略直棒状に成形する鉄筋成形工程と、
該横棒部（１ｂ，１ｂ）を埋設するようにコンクリートを打設する第２コンクリート打設工程と、を備えたことを特徴とする。
【００１２】
請求項４に係る発明は、請求項１乃至３のいずれか１項に記載の発明において、略筒状の部材（図３(ｃ) の符号６参照。以下、「被覆部材」とする）により前記横棒部（１ｂ）を被覆する工程を前記型枠配置工程の前に実施し、
該被覆部材（６）を前記横棒部（１ｂ）から除去する工程を前記型枠除去工程と前記鉄筋接合工程との間にて実施することを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１に係る発明によれば、前記第１コンクリート打設工程が終了した時点では、前記コンクリートスラブには開口部が形成されている。したがって、本発明を実施して複数階層の建築物（例えば、集合住宅やオフィスビル）を建築するような場合には、該開口部を使って他の階へ工事用資材等を搬送することができる。その際、前記横棒部は、水平方向に屈曲されていて前記型枠にて被覆された状態となっているので、該横棒部との接触による搬送物の損傷等を回避することができる。また、従来のように、開口部にて露出している鉄筋を切断したり折り曲げたりする作業を必要としないため、作業を簡素化することが出来る。
【００１５】
請求項２及び３に係る発明によれば、各Ｌ型鉄筋は１度だけ斜倒されるだけであるので、複数回屈曲される場合に比べて金属疲労を低減することができる。
【００１６】
請求項４に係る発明によれば、前記被覆部材の被覆により前記横棒部には前記第１コンクリート打設工程にてノロ等が付着せず、前記第２コンクリート打設工程にて打設されるコンクリートとの接着を良好にできる。
【図面の簡単な説明】
【００１７】
【図１】図１(ａ) は、Ｌ型鉄筋等を配置した様子の一例を示す平面図であり、同図(ｂ) は、型枠を配置した様子の一例を示す平面図である。
【図２】図２(ａ) は、型枠の外側にコンクリートを打設した様子の一例を示す平面図であり、同図(ｂ) は、コンクリートが硬化した後にＬ型鉄筋を斜傾した様子の一例を示す平面図である。
【図３】図３(ａ) は、Ｌ型鉄筋を配置した様子の一例を示す平面図であり、同図(ｂ) は、Ｌ型鉄筋を配置した様子の他の例を示す平面図であり、同図(ｃ)はＬ型鉄筋の横棒部を被覆する被覆部材の形状の一例を示す斜視図である。
【図４】図４は、Ｌ型鉄筋等を配置した様子の一例を示す斜視図である。
【図５】図５は、型枠を配置しコンクリートを打設する様子の一例を示す斜視図である。
【図６】図６(ａ) は、図２(ａ) のＡ矢視図であり、同図(ｂ) は、図６(ａ) のＢ−Ｂ断面図である。
【図７】図７は、開口部付きコンクリートスラブを形成する様子の一例を示す斜視図である。
【発明を実施するための形態】
【００１８】
以下、図１乃至図６に沿って、本発明の実施の形態について説明する。
【００１９】
本発明に係るコンクリートスラブの構築方法は、コンクリートスラブ（床スラブ）４を構築する過程で一時的に開口部（図５の符号２ａ参照）を形成する方法である。いま、図３(ａ) に示すように略直角に屈曲されてなるＬ型鉄筋１の一方の直棒部分１ａを「縦棒部」と称することとし、他方の直棒部分１ｂを「横棒部」と称することとすると、本発明に係るコンクリートスラブの構築方法は、少なくとも以下の工程を備えている。すなわち、
・  図１(ａ) 、図３(ａ) 及び図４に示すように、少なくとも一対のＬ型鉄筋１，１を、互いの横棒部１ｂ，１ｂが所定距離Ｗを隔てて略平行となり、かつ、互いの縦棒部１ａ，１ａが互いに離間する側であって同一直線上に位置するように配置するＬ型鉄筋配置工程
・  図１(ｂ) に示すように、所定距離Ｗを隔てて略平行となるように配置されたそれぞれの横棒部１ｂ，１ｂに接するように、これらの横棒部１ｂ，１ｂの間に、開口部２ａを有する額縁状の型枠（言い換えれば、略四角管状の型枠）２を配置する型枠配置工程
・  図２(ａ) 及び図５に示すように、該型枠２が配置された部分の外側にて、前記横棒部１ｂ，１ｂの少なくとも一部及び前記縦棒部１ａ，１ａを埋設するようにコンクリート３を打設してコンクリートスラブ４を形成する第１コンクリート打設工程
【００２０】
なお、図１(ａ) (ｂ) 、図２(ａ) (ｂ) 及び図３(ａ) に示す例では、前記横棒部１ｂ，１ｂは互いに対向するように同じ側（例えば、図３(ａ)
では図示右側）に折り曲げた状態で配置されているが、もちろんこれに限られるものではなく、図３(ｂ) に例示するように反対の側に配置されていて前記横棒部１ｂ，１ｂは互いに対向していなくても良い。また、上述のようなＬ型鉄筋１，１は、図３(ａ)
に示すように少なくとも一対配置すれば足りるが、図１(ａ) (ｂ) 及び図２(ａ) (ｂ) に示すように複数対配置しても良い。図６(ａ) は図２(ａ) のＡ矢視図であって、図６(ｂ)
は図６(ａ) のＢ−Ｂ断面図であるが、図６(ａ) (ｂ) は、型枠２の裏側に１０本の横棒部１ｂが配置されている様子を示している。
【００２１】
ところで、図１乃至図５に示す例では、主筋及び配力筋の一方にのみＬ型鉄筋を使用していて他方の鉄筋（図１(ｂ) の符号５参照）は直棒状であって前記開口部２ａを横方向に通り抜けている。なお、型枠２には、図４に示すように、該鉄筋５との干渉回避のためのスリットが形成されている。パネル等の薄板部材を搬送する上で該鉄筋５は障害にはならないが、この鉄筋５も上述のＬ型鉄筋に変更して、前記開口部２ａには主筋も配力筋も配置されないようにしても良い。そのようにした場合（つまり、開口部２ａを通る主筋及び配力筋の両方をＬ型鉄筋にした場合）には、上述のようなスリットを型枠に形成する必要が無いので、打設されたコンクリートの端面（つまり、開口部形成用の型枠に接する面）は略平坦となり、端面からの骨材等の飛び出しを回避することが出来る。したがって、後述する第２コンクリート打設工程の際に斫りを行う必要が無くなり、作業負担を軽減することができる。
【００２２】
一方、上述の第１コンクリート打設工程は、前記Ｌ型鉄筋配置工程及び前記型枠配置工程の両工程が終了した時点で実施する必要があるが、前記Ｌ型鉄筋配置工程及び前記型枠配置工程はどちらを先に実施しても或いは同時に実施しても構わない。つまり、上述のような位置にＬ型鉄筋１及び型枠２を配置するのであれば、
・  型枠２を先に配置して、その後に、Ｌ型鉄筋１を後に配置するようにしても、
・  Ｌ型鉄筋１を先に配置して、その後に、型枠２を配置するようにしても、
・  或いは、Ｌ型鉄筋１を配置している最中に型枠２を配置するようにしても、
どちらでも良い。なお、Ｌ型鉄筋以外の鉄筋は適切なタイミングで配置するようにすると良い。
【００２３】
本発明によれば、前記第１コンクリート打設工程が終了した時点では、前記コンクリートスラブ４には開口部２ａが形成されている。したがって、本発明を実施して複数階層の建築物（例えば、集合住宅やオフィスビル）を建築するような場合には、該開口部２ａを使って他の階へ工事用資材等を搬送することができる。その際、前記横棒部１ｂは、水平方向に屈曲されていて前記型枠２に被覆された状態となっているので、該横棒部１ｂとの接触による搬送物の損傷等を回避することができる。また、従来のように、開口部にて露出している鉄筋を切断したり折り曲げたりする作業を必要としないため、作業を簡素化することが出来る。さらに、本発明によれば、前記Ｌ型鉄筋１は前記型枠２にて被覆された状態となっていて突出していないため、１日の作業が終了する度に前記開口部２ａを蓋部材等で容易に閉塞することが出来、安全上からも好ましい。
【００２４】
ところで、本発明に係るコンクリートスラブの構築方法は、以下の工程を備えていると良い。すなわち、
・  図２(ｂ) に示すように、打設したコンクリート３が硬化した後に前記型枠２を除去する型枠除去工程
・  同図に矢印Ｆで示すように、各Ｌ型鉄筋１の横棒部１ｂを斜倒して（つまり、該横棒部１ｂを傾けて倒して）各Ｌ型鉄筋１を略直棒状に成形する鉄筋成形工程
・  斜倒されることにより近接する位置に移動されてなる前記一対のＬ型鉄筋１，１の横棒部１ｂ，１ｂどうしを溶接により接合する鉄筋接合工程
・  該横棒部１ｂ，…を埋設するように（つまり、資材等の搬送用の開口部を閉塞するように）コンクリートを打設する第２コンクリート打設工程
【００２５】
なお、図２(ｂ) に示す例では、各横棒部１ｂが十分に長くて、斜傾した横棒部１ｂ，１ｂどうしが互いに近接して沿うように配置される（つまり、斜傾した横棒部１ｂ，１ｂどうしが近い距離を保って離れずに（互いに重なるように）配置される）こととなるので、該近接配置される２本の横棒部１ｂ，１ｂを（他の部材を介さずに）直接溶接することが可能であるが、もちろんこれに限られるものではない。すなわち、各横棒部１ｂが短くて、斜倒した横棒部１ｂ，１ｂどうしが互いに近接して沿うように配置されないような場合には、それらの横棒部１ｂ，１ｂの間に他の部材（例えば、短い鉄筋）を介装させ、該部材と各横棒部１ｂ，１ｂとをそれぞれ溶接するようにしても良い。
【００２６】
また、本発明に係るコンクリートスラブの構築方法は、以下の工程を備えていても良い。すなわち、
・  図２(ｂ) に示すように、打設したコンクリート３が硬化した後に前記型枠２を除去する型枠除去工程
・  前記一対のＬ型鉄筋１，１の横棒部１ｂ，１ｂどうしが互いに近接して沿うように（つまり、前記一対のＬ型鉄筋１，１の横棒部１ｂ，１ｂどうしが近い距離を保って離れずにいるように）各Ｌ型鉄筋１，１の横棒部１ｂ，１ｂを斜倒して該各Ｌ型鉄筋１，１を略直棒状に成形する鉄筋成形工程（この工程では、該横棒部１ｂ，１ｂどうしは溶接しない。）
・  該横棒部１ｂ，…を埋設するように（つまり、資材等の搬送用の開口部を閉塞するように）コンクリートを打設する第２コンクリート打設工程
【００２７】
本発明によれば、各Ｌ型鉄筋１は１度だけ斜倒されるだけであるので、複数回屈曲される場合に比べて金属疲労を低減することができる。また、本発明によれば、前記第１コンクリート打設工程にて前記横棒部１ｂが配置されている部分（図６(ｂ) の符号３ａ参照）が水平方向に伸びる溝部を形成するが、前記第２コンクリート打設工程を実施する際には、該部分３ａは、コッタとして機能することとなり、コンクリートの接合強度を高めることが出来る。さらに、上記従来例２のようにアンカーを打ち込む必要が無い分、作業を簡素化することができる。
【００２８】
ところで、略筒状の部材（図３(ｃ) の符号６参照。以下、「被覆部材」とする）により前記横棒部１ｂを被覆する工程を前記型枠配置工程の前に実施し、該被覆部材６を前記横棒部１ｂから除去する工程を前記型枠除去工程と前記鉄筋接合工程との間にて実施するようにすると良い。そのようにした場合には、前記被覆部材６の被覆により前記横棒部６には前記第１コンクリート打設工程にてノロ等が付着せず、前記第２コンクリート打設工程にて打設されるコンクリートとの接着を良好にできる。
【符号の説明】
【００２９】
１                Ｌ型鉄筋
１ａ              縦棒部
１ｂ              横棒部
２                型枠
２ａ              開口部
３                コンクリート
４                コンクリートスラブ
６                被覆部材
【図１】
2012251322.tif 000003
【図２】
2012251322.tif 000004
【図３】
2012251322.tif 000005
【図４】
2012251322.tif 000006
【図５】
2012251322.tif 000007
【図６】
2012251322.tif 000008
【図７】
2012251322.tif 000009